(57)【特許請求の範囲】
【請求項１】
人からオン・オフ操作を受ける構造の電源スイッチ、人からオン・オフ操作を受ける構造のＧＰＳ測位スイッチ、設置処理部、通信処理部、携帯端末に通信可能に接続される無線通信部、インターネットに通信可能に接続される有線通信部、ソーラーパネル、ＧＰＳ測位部、測距センサ、記憶部、バッテリを備えた小型基地局であって、上記小型基地局がＧＰＳ衛星からの電波を受信可能で上記ソーラーパネルの発電可能な場所に運ばれ、上記ＧＰＳ測位スイッチがオン操作されると、上記ソーラーパネルで発電された電力を受けて作動した上記ＧＰＳ測位部が測位した位置情報を上記小型基地局の設置位置として上記記憶部に設定した状態において、上記電源スイッチがオン操作され、上記バッテリからの電力を受けて動作した測距センサが上記ＧＰＳ測位部による測位から電源スイッチのオン操作までの間に小型基地局の移動された移動距離を測定し、上記設置処理部が上記移動距離を上記記憶部に記憶されたしきい値と比較し、上記移動距離が上記しきい値以下であると、上記通信処理部が上記バッテリからの電力を受けて上記無線通信部及び上記有線通信部を通信可能とし、上記移動距離がしきい値を超えていると、上記通信処理部が上記バッテリからの電力を受けて上記無線通信部を通信不能にするとともに上記有線通信部を通信可能のままにすることを特徴とする小型基地局。
【発明の詳細な説明】
【技術分野】
【０００１】
本発明は、小型基地局自身が設置位置を監視する、小型基地局に関する。
【背景技術】
【０００２】
ＧＰＳ測位機能を利用して小型基地局の設置位置が変更されていないかを監視することは一般的に考えられる。しかしながら、小型基地局が屋内等のＧＰＳ測位情報を受信できない場所に設置された場合は、設置位置を監視できない。
【０００３】
図３を用いて、特許文献１で開示された小型基地局の設置場所管理システムについて説明する。同図において、人が小型基地局５をＧＰＳ衛星４からの電波の受信不能な場所に設置する場合のセットアップ時に、小型基地局５の設置位置を取得するための携帯端末１を基地局管理装置６に登録した後、携帯端末１がＧＰＳ衛星４からの電波の受信可能な場所に運ばれ、ＧＰＳ測位部２がＧＰＳ衛星４からの電波を受信して現在地の緯度及び経度等の位置を計算し、無線通信部３が上記ＧＰＳ測位部２で計算した位置を小型基地局５の設置位置として小型基地局５を経由して基地局管理装置６に送信する。その後、携帯端末１がＧＰＳ測位部２で測位した位置を小型基地局５の設置位置として基地局管理装置６に定期的に送信し、基地局管理装置６が小型基地局１の設置位置に変更がないかを監視するようになっている(特許文献１の段落００２０乃至００２５，００３４参照)。
【０００４】
しかしながら、特許文献１で開示された小型基地局の設置場所管理システムは、携帯端末１がＧＰＳ衛星４からの電波を受信できないときは、小型基地局５の設置位置に変更がないかを監視できないという問題があった。
【先行技術文献】
【特許文献】
【０００５】
【特許文献１】特開２００９−２３２２８６号公報
【発明の概要】
【発明が解決しようとする課題】
【０００６】
本発明は、上記背景技術に鑑みてなされたものであり、小型基地局自身が設置位置を監視する、小型基地局の提供を目的とする。
【課題を解決するための手段】
【０００７】
本発明は、電源スイッチ、ＧＰＳ測位スイッチ、設置処理部、通信処理部、無線通信部、有線通信部、ソーラーパネル、ＧＰＳ測位部、測距センサ、記憶部、バッテリ、を備えた小型基地局であって、上記小型基地局がＧＰＳ衛星からの電波を受信可能で上記ソーラーパネルの発電可能な場所に運ばれ、上記ＧＰＳ測位スイッチがオン操作されると、上記ソーラーパネルで発電された電力を受けて作動した上記ＧＰＳ測位部が測位した位置情報を上記小型基地局の設置位置として上記記憶部に設定した状態において、上記電源スイッチがオン操作され、上記バッテリからの電力を受けて動作した距離センサが上記ＧＰＳ測位部による測位から電源スイッチのオン操作までの間に小型基地局の移動された移動距離を測定し、上記設置処理部が上記移動距離を上記記憶部に記憶されたしきい値と比較し、上記移動距離が上記しきい値以下であると、上記通信処理部が上記バッテリからの電力を受けて上記無線通信部及び上記有線通信部を通信可能とし、上記移動距離がしきい値を超えていると、上記通信処理部が上記バッテリからの電力を受けて上記無線通信部を通信不能にすることを特徴とする。
【発明の効果】
【０００８】
本発明によれば、ソーラーパネルからの電力を受けたＧＰＳ測位部が位置を取得した後、バッテリからの電力を受けた設置処理部が上記取得された位置を小型基地局の設置位置として監視できる。本発明において、ＧＰＳ測位部で測位された位置情報を設置処理部が小型基地局の設置位置として記憶部に設定すれば、小型基地局の設置位置の精度が高くなる。
【図面の簡単な説明】
【０００９】
【図１】発明を実施するための形態１に係る小型基地局を示した構成図。
【図２】発明を実施するための形態１に係る小型基地局の処理示したフローチャート。
【図３】特許文献１の小型基地局の設置場所管理システムを示した構成図。
【発明を実施するための形態】
【００１０】
図１を用いて、発明の実施の形態１に係る小型基地局１０について説明する。同図において、小型基地局１０は、フェムトセルや無線ＬＡＮスポット等の電波出力の小さな基地局であり、電源スイッチ１１、ＧＰＳ測位スイッチ１２、制御部１３、無線通信部１６、有線通信部１７、ソーラーパネル１８、ＧＰＳ測位部１９、測距センサ２０、記憶部２１、バッテリ２６を備える。
【００１１】
電源スイッチ１１は、人からオン・オフ操作を受ける構造のスイッチであり、オン操作されることで、電力をバッテリ２６から制御部１３、無線通信部１６、有線通信部１７、測距センサ２０等の電気部品に供給し、オフ操作されることで、上記バッテリ２６から電気部品への電力の供給を停止する。
【００１２】
ＧＰＳ測位スイッチ１２は、人からオン・オフ操作を受ける構造のスイッチであり、オン操作されることで、ソーラーパネル１８で発電された電力をＧＰＳ測位部１９に供給し、オフ操作をされることで、上記ソーラーパネル１８からＧＰＳ測位部１９への電力の供給を停止する。
【００１３】
制御部１３は、通信処理部１４、設置処理部１５を備える。制御部１３がバッテリ２６から電力の供給を受けることで、通信処理部１４が無線通信部１６及び有線通信部１７を制御し、設置処理部１５が記憶部２１に設けられたＧＰＳ測位データ記憶部２２から抽出した位置情報を記憶部２１に設けられた設置位置データ記憶部２４に小型基地局１０の設置位置として記憶しかつ測距センサ２０を制御する。
【００１４】
無線通信部１６は、通信処理部１４からの制御により、小型基地局１０と図示のされていない携帯端末との通信可能エリアを小型基地局１０の周囲に構築し、上記構築された通信可能エリアに在圏した携帯端末に通信可能に接続される。有線通信部１７は、通信処理部１４からの制御により、小型基地局１０と図示のされていないブロードバンド回線等の回線でインターネットに通信可能に接続される。
【００１５】
ソーラーパネル１８は、太陽光を受光して電力を発電する。ソーラーパネル１８で発電れた電力は、ソーラーパネル１８からＧＰＳ測位部１９と測距センサ２０それぞれの作動に用いられる。ＧＰＳ測位部１９は、ソーラーパネル１８からの電力を受けて、図示のされないＧＰＳ衛星からの電波を受信して位置情報を取得し、この取得した位置情報を記憶部２１に設けられたＧＰＳ測位データ記憶部２２に記憶する。
【００１６】
測距センサ２０は、加速度センサ等からなり、設置処理部１５からの制御で小型基地局１０の移動距離を測定し、測定した移動距離を記憶部２１に設けられた移動距離データ記憶部２３に記憶する。
【００１７】
上記構成の小型基地局１０によれば、小型基地局１０が設置される以前において、小型基地局１０が上記設置場所の周囲でＧＰＳ衛星からの電波を受信可能でソーラーパネル１８の発電可能な場所に運ばれる。その状態において、ＧＰＳ測位スイッチ１２がオン操作されると、ソーラーパネル１８で発電された電力がＧＰＳ測位部１９と測距センサ２０とに供給され、ＧＰＳ測位部１９がＧＰＳ衛星からの電波を受信して、現在地の緯度及び経度等の位置を計算し、ＧＰＳ測位部１９が上記計算した位置を位置情報としてＧＰＳ測位データ記憶部２２に記憶する。
【００１８】
その後、電源スイッチ１１がオン操作され、バッテリ２６の電力が制御部１３、無線通信部１６、有線通信部１７、測距センサ２０等の電気部品に供給されると、設置処理部１５による小型基地局１０の設置位置の設定と監視とが始まる。設置位置の設定においては、設置処理部１５がＧＰＳ測位データ記憶部２２から抽出した位置情報を設置位置データ記憶部２４に小型基地局１０の設置位置として記憶する。つまり、ＧＰＳ測位部１９で測位された位置情報を設置処理部１５が小型基地局１０の設置位置としてＧＰＳ測位データ記憶部２２に設定するので、小型基地局１０の設置位置の精度が高くなる。設置位置の監視においては、測距センサ２０が前記ＧＰＳ測位部１９による測位から電源スイッチ１１のオン操作までの間に小型基地局１０の移動された移動距離を測定し、測距センサ２０が上記測定した移動距離を移動距離データ記憶部２３に記憶する。前記測距センサ２０による移動距離の測定は電源スイッチ１１のオン、オフ操作に影響を受けないように迂回したバッテリ２６の電力を用いても良い。
【００１９】
次に、設置処理部１５が移動距離データ記憶部２３から移動距離を抽出し、設置処理部１５が上記抽出した移動距離をしきい値記憶部２５から抽出したしきい値と比較し、設置処理部１５は上記移動距離がしきい値以下であるかを判断する。
【００２０】
そして、移動距離がしきい値以下であると、設置処理部１５は前記ＧＰＳ測位部１９による測位から電源スイッチ１１のオン動作までの間に移動した小型基地局１０の位置が設置位置データ記憶部２４の設置位置と同位置と判断した信号を制御部１３に出力し、通信処理部１４が無線通信部１６及び有線通信部１７を通信可能に制御し、小型基地局１０が通信可能になる。
【００２１】
又、移動距離がしきい値を超えている場合は、設置処理部１５は前記ＧＰＳ測位部１９による測位から電源スイッチ１１のオン動作までの間に移動した小型基地局１０の位置が設置位置データ記憶部２４の設置位置から離れた位置と判断した信号を制御部１３に出力し、通信処理部１４が無線通信部１６を通信不能に制御し、小型基地局１０が携帯端末と無線通信不能になる。これにより、小型基地局１０は小型基地局１０の設置位置を監視することができ、小型基地局１０の設置位置に変更があると、小型基地局１０と携帯端末との無線通信が不能にすることができる。
【００２２】
図２を用いて、小型基地局１０の設置位置の設定と監視との処理について説明する。同図において、ステップ２０１では、小型基地局１０がＧＰＳ衛星からの電波が受信可能でソーラーパネル１８の発電可能な場所に運ばれ、ソーラーパネル１８が発電した状態になる。次に、ステップ２０２では、ＧＰＳ測位スイッチ１２がオン操作されたかを判断する。ＧＰＳ測位スイッチ１２がオン操作されない場合、ステップ２０２でＮＯとなり、ステップ２０２に戻る。ＧＰＳ測位スイッチ１２がオン操作された場合は、ステップ２０２でＹＥＳとなり、ステップ２０３に進む。
【００２３】
ステップ２０３では電源スイッチ１１がオフ操作されているかを判断する。電源スイッチ１１がオン操作された場合は、ステップ２０３でＮＯとなり、ステップ２０３に戻る。電源スイッチ１１がオフ操作されている場合は、ステップ２０３でＹＥＳとなり、ステップ２０４に進む。
【００２４】
ステップ２０４では、ＧＰＳ測位部１９が測位した位置情報をＧＰＳ測位データ記憶部２２に記憶し、設置処理部１５がＧＰＳ測位データ記憶部２２から抽出した位置情報を設置位置データ記憶部２４に小型基地局１０の設置位置として記憶することで、ＧＰＳ測位部１９で測位した位置情報が小型基地局１０の設置位置として設定される。
【００２５】
つまり、ステップ２０１乃至２０４では、電源スイッチ１１がオフ操作された状態において、ＧＰＳ測位部１９がソーラーパネル１８からの電力で位置情報を測位し、設置処理部１５が上記測位された位置情報を小型基地局１０の設置位置として設定するので、小型基地局１０を梱包容器から出した時点で意図しない場所を計測してしまうリスクは回避することができる。
【００２６】
そして、ステップ２０５では、電源スイッチ１１がオン操作されたかを判断する。電源スイッチ１１がオフ操作されたままであれば、ステップ２０５でＮＯとなり、ステップ２０５に戻る。電源スイッチ１１がオン操作された場合は、ステップ２０５でＹＥＳとなり、ステップ２０６に進む。
【００２７】
ステップ２０６では、測距センサ２０が小型基地局１０の移動距離を測定する。ステップ２０７では、測距センサ２０がＧＰＳ測位から電源オンまでの移動距離を移動距離データ記憶部２３に記憶する。
【００２８】
次に、ステップ２０８では、移動距離データ記憶部２３に記憶した移動距離としきい値記憶部２５に記憶したしきい値とを比較し、移動距離がしきい値より小さければ、ステップ２０８でＹＥＳと判断し、ステップ２０９に進み、移動距離がしきい値以上であれば、ステップ２０８でＮＯと判断し、ステップ２１０に進む。
【００２９】
ステップ２０９では、通信処理部１４が小型基地局１０の無線通信を可能とし、無線通信部１６が小型基地局１０と図示のされていない携帯端末との通信可能エリアを小型基地局１０の周囲に構築し、この構築された通信可能エリアに在圏した携帯端末と無線通信部１６とが互いに通信可能に接続されるようになる。
【００３０】
ステップ２１０では、通信処理部１４が小型基地局１０の無線通信を不可能とし、無線通信部１６が小型基地局１０と図示のされていない携帯端末との通信可能エリアを小型基地局１０の周囲に構築せず、上記携帯端末と無線通信部１６とが互いに通信不可能になる。よって、有線通信部１７は通信可能になっているので、有線通信部１７が接続されたインターネットの側からＧＰＳ測位部１９にリセット信号を送信することにより、ステップ２０１乃至２０４での設置位置の設定を再利用可能になる。
【符号の説明】
【００３１】
１０  小型基地局
１１  電源スイッチ
１２  ＧＰＳ測位スイッチ
１３  制御部
１４  通信処理部
１５  設置処理部
１６  無線通信部
１７  有線通信部
１８  ソーラーパネル
１９  ＧＰＳ測位部
２０  測距センサ
２１  記憶部
２２  ＧＰＳ測位データ記憶部
２３  移動距離データ記憶部
２４  設置位置データ記憶部
２５  しきい値記憶部
２６  バッテリ
【図１】
0006480379.tif 000002
【図２】
0006480379.tif 000003
【図３】
0006480379.tif 000004